(57)【要約】【課題】鑑賞者が手軽に臨場感を味わうことができる動画の配信方法を提供する。【解決手段】動画の配信方法は、映像を特定する映像信号、および、映像内の登場人物の心拍を特定する心拍信号を含む動画データを送信する手順と、映像信号で再生される映像に同期して心拍信号に基づき心音を再生する手順とを備える。動画の鑑賞者は心音を聞くことで映像内の登場人物に感情移入することができる。こうして動画の鑑賞者はこれまで以上に動画の臨場感を体感することができる。【選択図】図１
2018191159.tif 000002
【特許請求の範囲】
【請求項１】
映像を特定する映像信号、および、前記映像内の登場人物の心拍を特定する心拍信号を含む動画データを送信する手順と、
前記映像信号で再生される前記映像に同期して前記心拍信号に基づき心音を再生する手順と
を備えることを特徴とする動画の配信方法。
【請求項２】
心拍の速度を特定する心拍信号を受信する受信部と、
心音の音波を特定する心音データを記憶する記憶部と、
前記心拍信号で特定される速度に合わせて、前記心音データに基づき心音を再生する再生部と
を備えることを特徴とする心音再生装置。
【請求項３】
心拍の速度を特定する心拍信号を受信する手順と、
記憶部から、心音の音波を特定する心音データを取得する手順と、
前記心拍信号で特定される速度に合わせて、前記心音データに基づき心音を再生する手順と
を備えることを特徴とする心音再生方法。
【請求項４】
映像信号を生成する撮像素子と、
音声信号を生成するマイクロフォンと、
少なくとも心拍の速度を特定する心拍信号を生成する脈拍センサーと、
前記音声信号に前記心拍信号を組み込んで出力する合成器と
を備えることを特徴とする撮影装置。
【請求項５】
複数の脈拍センサーから、前記脈拍センサーごとに心拍信号を取得する手順と、
指定された再生端末ごとに、個々の前記再生端末に関連づけられた前記心拍信号を送信する手順と、
個々の前記再生端末で前記心拍信号を受信し、前記心拍信号に基づき心音を再生する手順と
を備えることを特徴とする心拍再生システム。
【請求項６】
足の甲に接触する接触部を有して、前記足の甲および土踏まずに巻き付けられる装着体と、
前記接触部に支持されて、足背動脈から脈拍を検出する脈拍センサーと
を備えることを特徴とする脈拍計。
【請求項７】
再生端末の本体にヘッドホンが接続される際に、前記ヘッドホンの機器識別子を取得する手順と、
予め登録された候補機器識別子に、取得した前記機器識別子を照合し、前記ヘッドホンの登録の有無を確認する手順と、
前記ヘッドホンの登録が確認されたら、前記ヘッドホンに向けて心音の音声信号を出力する手順と
を備えることを特徴とする心音の再生方法。
【発明の詳細な説明】
【技術分野】
【０００１】
本発明は動画の配信方法に関する。
【背景技術】
【０００２】
特許文献１は動画配信システムを開示する。映像信号は復号化部で復号されて表示モニターに供給される。表示モニターに映像は映し出される。音声信号はスピーカーで音波に再生されて利用者の耳に伝達される。
【先行技術文献】
【特許文献】
【０００３】
【特許文献１】特開２０１３−２０７４８９号公報
【特許文献２】特表２０１５−５１４４４３号公報
【発明の概要】
【発明が解決しようとする課題】
【０００４】
特許文献２は、映画館で、映像および音声だけでなく、視覚および聴覚以外の感覚を通じて鑑賞者に臨場感を与える特殊効果装置を開示する。映画の鑑賞者は特殊効果装置の働きで映画の登場人物と自分とを一体化することができる。映画の鑑賞者は臨場感を楽しむことができる。しかしながら、設備が大がかりであって導入にコストがかかるうえ、映画館以外では実現されることができない。
【０００５】
本発明は、上記実状に鑑みてなされたもので、鑑賞者が手軽に臨場感を味わうことができる動画の配信方法を提供することを目的とする。
【課題を解決するための手段】
【０００６】
本発明の第１側面によれば、映像を特定する映像信号、および、前記映像内の登場人物の心拍を特定する心拍信号を含む動画データを送信する手順と、前記映像信号で再生される前記映像に同期して前記心拍信号に基づき心音を再生する手順とを備える動画の配信方法が提供される。
【０００７】
ひとの心拍数および拍変動はひとの感情を反映する。ひとは心音を聞くことで他人の感情を知覚する。動画の鑑賞者は心音を聞くことで映像内の登場人物に感情移入することができる。こうして動画の鑑賞者はこれまで以上に動画の臨場感を体感することができる。
【０００８】
第２側面によれば、心拍の速度を特定する心拍信号を受信する受信部と、心音の音波を特定する心音データを記憶する記憶部と、前記心拍信号で特定される速度に合わせて、前記心音データに基づき心音を再生する再生部とを備える心音再生装置は提供される。
【０００９】
心拍信号では心音そのものが特定される必要はなく心拍の速度が特定されればよい。したがって、ひとの胸に心音を拾うマイクロフォンを当てる必要はなく、簡単に入手されることができる脈拍センサーといったありふれた道具で心拍信号は生成されることができる。ひとの心拍に合わせて簡単に心音は再現されることができる。
【００１０】
第３側面によれば、心拍の速度を特定する心拍信号を受信する手順と、記憶部から、心音の音波を特定する心音データを取得する手順と、前記心拍信号で特定される速度に合わせて、前記心音データに基づき心音を再生する手順とを備える心音再生方法は提供される。
【００１１】
心拍信号では心音そのものが特定される必要はなく心拍の速度が特定されればよい。したがって、ひとの胸に心音を拾うマイクロフォンを当てる必要はなく、簡単に入手されることができる脈拍センサーといったありふれた道具で心拍信号は生成されることができる。ひとの心拍に合わせて簡単に心音は再現されることができる。
【００１２】
第４側面によれば、映像信号を生成する撮像素子と、音声信号を生成するマイクロフォンと、少なくとも心拍の速度を特定する心拍信号を生成する脈拍センサーと、前記音声信号に前記心拍信号を組み込んで出力する合成器とを備える撮影装置は提供される。
【００１３】
映像信号で特定される映像と、音声信号で特定される音声とが組み合わせられて動画は生成される。動画の生成にあたって音声信号には心拍信号が組み込まれることから、一般の動画のフォーマットに心拍信号は組み入れられることができる。心拍信号の付加にあたって特別なフォーマットは要求されず、心拍信号の扱いは簡素化される。
【００１４】
第５側面によれば、複数の脈拍センサーから、前記脈拍センサーごとに心拍信号を取得する手順と、指定された再生端末ごとに、個々の前記再生端末に関連づけられた前記心拍信号を送信する手順と、個々の前記再生端末で前記心拍信号を受信し、前記心拍信号に基づき心音を再生する手順とを備える心拍再生システムは提供される。
【００１５】
脈拍センサーは複数の対象者に個々に取り付けられる。個々の対象者に関連づけられた再生端末ごとに心拍信号は送り込まれる。個々の再生端末では、関連づけられた心拍信号に基づき心音は再生される。こうして再生端末ごとに複数の対象者の中から特定の対象者は割り当てられる。再生端末ごとに特定の対象者の心音は再生されることができる。
【００１６】
第６側面によれば、足の甲に接触する接触部を有して、前記足の甲および土踏まずに巻き付けられる装着体と、前記接触部に支持されて、足背動脈から脈拍を検出する脈拍センサーとを備える脈拍計は提供される。
【００１７】
脈拍の検出にあたって脈拍計は踝よりも足先側で足に装着される。踝回りに足が動いても、脈拍計は足の動きに対して邪魔にならない。しかも、足の甲と土踏まずの間では人体の変形は小さいことから、脈拍計の位置ずれは十分に抑制されることができる。良好な装着感は得られる。装着者に脈拍計の装着を意識させることなく、脈拍センサーは足背動脈から脈拍を検出することができる。
【００１８】
第７側面によれば、再生端末の本体にヘッドホンが接続される際に、前記ヘッドホンの機器識別子を取得する手順と、予め登録された候補機器識別子に、取得した前記機器識別子を照合し、前記ヘッドホンの登録の有無を確認する手順と、前記ヘッドホンの登録が確認されたら、前記ヘッドホンに向けて心音の音声信号を出力する手順とを備える心音の再生方法は提供される。
【００１９】
ヘッドホンの登録が確認されない限り、ヘッドホンには心音の音声信号は出力されない。こうして特定のヘッドホンにのみ音声信号は出力されることができる。心音の再生に利用されるヘッドホンは選り分けられることができる。
【発明の効果】
【００２０】
以上のように開示の装置によれば、鑑賞者が手軽に臨場感を味わうことができる動画の配信方法は提供される。
【図面の簡単な説明】
【００２１】
【図１】第１実施形態に係る動画配信システムの構成を概略的に示す概念図である。
【図２】第２実施形態に係る情感配信システムの構成を概略的に示す概念図である。
【図３】具体例に係る脈拍計の構成を概略的に示す概念図である。
【図４】振動発生装置の具体例を概略的に示す概念図である。
【図５】第３実施形態に係る心拍再生装置の構成を概略的に示す概念図である。
【発明を実施するための形態】
【００２２】
以下、添付図面を参照しつつ本発明の一実施形態を説明する。
【００２３】
図１は第１実施形態に係る動画配信システム１１の構成を概略的に示す。動画配信システム１１は、インターネット１２に随時に接続可能な再生端末１３ａ、１３ｂを備える。第１具体例に係る再生端末１３ａは、ＷｉＦｉルーター１４でインターネット１２に接続されるスマートフォン１５で構成される。第２具体例に係る再生端末１３ｂは、ＬＡＮルーター１６でインターネット１２に接続されるパーソナルコンピューター（以下「パソコン」という）１７で構成される。スマートフォン１５は携帯電話通信網からインターネット１２に接続されてもよい。パソコン１７はＷｉＦｉルーター１４でインターネットに接続されてもよい。
【００２４】
スマートフォン１５は、本体に組み込まれるＣＰＵ（中央演算処理装置）２１と、本体の表面に組み込まれるディスプレイパネル２２とを備える。ディスプレイパネル２２の表面に例えば長方形の画面が区画される。本体内でＣＰＵ２１には、携帯電話通信網の基地局に接続される無線送受信回路２３や、ＷｉＦｉルーター１４に接続されるＷｉＦｉ送受信回路２４、ブルートゥース送受信回路２５、画面上の表示を制御する表示駆動回路２６、その他の電子回路が接続される。
【００２５】
ＣＰＵ２１はＷｉＦｉ送受信回路２４（や無線送受信回路２３）を通じてインターネット１２から動画データを受信する。動画データは、映像を特定する映像信号と、映像に関連する音声を特定する音声信号とを含む。音声信号には、映像内の登場人物の心拍を特定する心拍信号が重畳される。ここでは、心拍信号は心拍の速度を特定する。心拍の速度は例えばパルス信号の間隔やその他のリズム信号で特定されればよい。心拍の速度は例えば心音のＩ音またはＩＩ音の時間間隔で特定されればよい。
【００２６】
ＣＰＵ２１にはメモリー（記憶部）２７が接続される。メモリー２７にはアプリ（アプリケーションソフトウェア）２８および心音データ２９が格納される。心音データ２９は心音の音波を特定する。ＣＰＵ２１はアプリ２８を実行する。アプリ２８の実行に応じて、ＣＰＵ２１（受信部）は、動画データを受信し、メモリー２７から心音データ２９を取得し、心拍信号で特定される速度に合わせて、心音データ２９に基づき心音を再生する。
【００２７】
スマートフォン１５にはヘッドホン３１が接続される。ヘッドホン３１は有線でスマートフォン１５に接続されてもよく無線でスマートフォン１５に接続されてもよい。ここでは、接続にあたって例えばＢｌｕｅｔｏｏｔｈ（登録商標）が利用される。ヘッドホン３１にはブルートゥース送受信回路２５を通じてＣＰＵ２１から音声信号が供給される。ヘッドホン３１のスピーカーは例えば振動板の動作に応じて空気中に音波を送信する。ヘッドホン３１は鑑賞者の頭に装着される。ヘッドホン３１は好ましくは骨伝導ヘッドホンであればよい。
【００２８】
ＣＰＵ２１は、画像処理回路の動作を通じて映像信号に基づき映像を再生し、音声信号に基づき音声を再生する。映像は表示駆動回路２６の働きでディスプレイパネル２２の画面に表示される。音声の再生にあたってＣＰＵ２１は音声信号から心拍信号を復号する。ＣＰＵ２１（再生部）は、映像信号で再生される映像に同期して心拍信号に基づき心音を再生する。こうして映像に関連する音声および映像に同期する登場人物の心音はヘッドホン３１から鑑賞者の耳に伝達される。
【００２９】
パソコン１７は、ＣＰＵ（中央演算処理装置）３３やメモリー３４を収容する本体３５と、本体３５に接続されて、例えば長方形の画面を区画するディスプレイパネルを有するディスプレイ装置３６とを備える。いわゆるデスクトップパソコンのように本体３５とディスプレイ装置３６とは別体でもよく、いわゆるノートブックパソコンのように本体３５とディスプレイ装置３６とはヒンジで連結されてもよい。あるいは、パソコン１７は、本体３５内にディスプレイパネルを含むパッド形状に構成されてもよい。本体３５内でＣＰＵ３３には、ＬＡＮボード３７や、ブルートゥース送受信回路３８、画面上の表示を制御する表示駆動回路３９、その他の電子回路が接続される。ＣＰＵ３３はＬＡＮボード３７を通じてインターネット１２から動画データを受信する。
【００３０】
ＣＰＵ３３には大容量記憶装置（記憶部）４１が接続される。大容量記憶装置４１にはアプリケーションソフトウェア（以下「ソフト」という）４２および心音データ４３が格納される。心音データ４３は心音の音波を特定する。ＣＰＵ３３はソフト４２を実行する。ソフト４２の実行に応じて、ＣＰＵ３３（受信部）は、動画データを受信し、大容量記憶装置４１から心音データを取得し、心拍信号で特定される速度に合わせて、心音データに基づき心音を再生する。
【００３１】
パソコン１７にはヘッドホン４４が接続される。ヘッドホン４４は有線でパソコン１７の本体に接続されてもよく無線でパソコン１７に接続されてもよい。ここでは、接続にあたって例えばＢｌｕｅｔｏｏｔｈが利用される。ヘッドホン４４は前述のヘッドホン３１と同様に構成されればよい。
【００３２】
ＣＰＵ３３は、画像処理回路の動作を通じて映像信号に基づき映像を再生し、音声信号に基づき音声を再生する。映像は表示駆動回路３９の働きでディスプレイ装置３６の画面に表示される。音声の再生にあたってＣＰＵ３３は音声信号から心拍信号を復号する。ＣＰＵ３３（再生部）は、映像信号で再生される映像に同期して心拍信号に基づき心音を再生する。こうして映像に関連する音声および映像に同期する登場人物の心音はヘッドホン４４から鑑賞者の耳に伝達される。
【００３３】
動画配信システム１１はインターネット１２に接続されるサーバー４５を備える。サーバー４５には動画データ４６および心音データ４７が格納される。スマートフォン１５で実行されるアプリ２８の働きでスマートフォン１５とサーバー４５との間で通信経路は確立される。アプリ２８は、サーバー４５で実行されるアプリケーションに対してユーザーインターフェイスを提供する。
【００３４】
動画配信システム１１は、インターネット１２に接続される撮影装置４８を備える。撮影装置４８は、動画を生成するビデオカメラ装置４９と、対象者に装着されて対象者の脈拍（すなわち心拍）を検出する脈拍計（脈拍センサー）５１とを有する。脈拍計５１は、例えば浅側頭動脈、顔面動脈、総頸動脈、腋窩動脈、上腕動脈、橈骨動脈、尺骨動脈、大腿動脈、膝窩動脈、後頸骨動脈および足背動脈のいずれかから脈拍を検出すればよい。撮影の対象者に脈拍計５１が装着されることから、映像では登場人物の心拍に同期して脈拍は検出される。脈拍計は少なくとも心拍の速度を特定する心拍信号を生成する。前述のとおり心拍の速度は例えばパルス信号の間隔やその他のリズム信号で特定されればよい。
【００３５】
ビデオカメラ装置４９は、映像信号を生成する撮像素子５２と、音声信号を生成するマイクロフォン５３とを備える。映像信号は、例えばレンズを通して撮像素子５２に投影される像を特定する。音声信号は、撮像素子５２に投影される像に関連して人物の声や環境音を特定する。少なくともマイクロフォン５３および脈拍計５１には合成処理回路（合成器）５４が接続される。合成処理回路５４は音声信号に心拍信号を組み込んで出力する。音声信号には例えば心音のＩ音またはＩＩ音を示すパルス音が含まれればよい。ここでは、一般の動画のフォーマットに従って映像信号および音声信号で動画データは作成される。
【００３６】
撮影装置４８は例えばインターネット１２を通じてサーバー４５に接続される。動画はサーバー４５にアップロードされることができる。こうしてサーバー４５に動画データ４６は格納される。動画データ４６は一括りの映像ごとに管理されればよい。
【００３７】
動画配信システム１１は、インターネット１２に接続される心音生成装置５５を備える。心音生成装置５５は人体から心音の音波を取得するマイクロフォン５６を有する。マイクロフォン５６には例えば聴診器５７が接続される。聴診器５７は、例えば、人体の大動脈弁領域、肺動脈弁領域、三尖弁領域、僧帽弁領域またはエルプの領域から心音を増幅してマイクロフォン５６に伝達する。マイクロフォン５６は心音の音波を特定する電気信号すなわち心音データを出力する。心拍の速度は任意に設定されればよい。複数の速度について心音データは生成されてもよい。心音データはサーバー４５にアップロードされることができる。こうしてサーバー４５に心音データ４７は格納される。心音データ４７は人物ごとに管理されればよい。
【００３８】
次に動画配信システム１１の動作を説明する。スマートフォン１５の利用者（以下「鑑賞者」）は例えばタッピング操作でアプリ２８を起動する。アプリ２８には心音データ２９が取り込まれる。心音データ２９は、例えばセットアップ時にサーバー４５からダウンロードされてスマートフォン１５のメモリー２７に格納されてもよく、心音の再生にあたって改めてサーバー４５からダウンロードされてスマートフォン１５のメモリー２７に格納されてもよい。
【００３９】
いわゆるストリーミング配信の場合（動画データ４６がサーバーに維持される場合）には、鑑賞者がスマートフォン１５の画面上で動画ファイルを選択すると、サーバー４５は、映像を特定する映像信号、および、映像の登場人物の心拍を特定する心拍信号を含む動画データをインターネット１２に向けて送信する。動画データは、インターネット１２を経由して時間軸に従ってスマートフォン１５のＣＰＵ２１に送られてくる。ＣＰＵ２１は動画データ中の音声信号から心拍信号を分離する。音声信号では心拍信号は消去されればよい。ＣＰＵ２１（再生部）は、心拍信号で特定される速度に合わせて、心音データ２９に基づき心音を再生する。再生された心音は音声信号に組み入れられる。音声信号はＢｌｕｅｔｏｏｔｈ経由でヘッドホン３１に送信される。
【００４０】
動画は再生される。映像信号に基づきディスプレイパネル２２の画面には映像が再生される。音声信号に基づきヘッドホン３１では音声が再生される。映像信号で再生される映像に同期して登場人物の心拍は再生される。ひとの心拍数および拍変動はひとの感情を反映する。ひとは心音を聞くことで他人の感情を知覚する。動画の鑑賞者は心音を聞くことで映像内の登場人物に感情移入することができる。こうして動画の鑑賞者はこれまで以上に動画の臨場感を体感することができる。
【００４１】
動画データ４６がサーバー４５からダウンロードされる場合には、鑑賞者がスマートフォン１５の画面上で動画ファイルを選択すると、予めメモリー２７内に格納された動画データから映像信号および音声信号は取得される。ＣＰＵ２１は音声信号から心拍信号を分離する。音声信号では心拍信号は消去されればよい。ＣＰＵ２１（再生部）は、心拍信号で特定される速度に合わせて、心音データ２９に基づき心音を再生する。再生された心音は音声信号に組み入れられる。音声信号はＢｌｕｅｔｏｏｔｈ経由でヘッドホン３１に送信される。
【００４２】
動画は再生される。映像信号に基づきディスプレイパネル２２の画面には映像が再生される。音声信号に基づきヘッドホン３１では音声が再生される。映像信号で再生される映像に同期して登場人物の心拍は再生される。ひとの心拍数および拍変動はひとの感情を反映する。ひとは心音を聞くことで他人の感情を知覚する。動画の鑑賞者は心音を聞くことで映像内の登場人物に感情移入することができる。こうして動画の鑑賞者はこれまで以上に動画の臨場感を体感することができる。
【００４３】
同様に、パソコン１７の利用者（以下「鑑賞者」）はソフト４２を起動する。パソコン１７には心音データ４７（４３）が取り込まれる。心音データ４７は、例えばセットアップ時にサーバー４５からダウンロードされてパソコン１７の大容量記憶装置４１に格納されてもよく、心音の再生にあたって改めてサーバー４５からダウンロードされてパソコン１７の大容量記憶装置４１に格納されてもよい。
【００４４】
いわゆるストリーミング配信の場合（動画データ４６がサーバー４５に維持される場合）には、鑑賞者がディスプレイ装置３６の画面上で動画ファイルを選択すると、サーバー４５は、映像を特定する映像信号、および、映像の登場人物の心拍を特定する心拍信号を含む動画データ４６をインターネット１２に向けて送信する。動画データは、インターネットを経由して時間軸に従ってパソコン１７のＣＰＵ３３に送られてくる。ＣＰＵ３３は動画データ４６中の音声信号から心拍信号を分離する。音声信号では心拍信号は消去されればよい。ＣＰＵ３３（再生部）は、心拍信号で特定される速度に合わせて、心音データ４３に基づき心音を再生する。再生された心音は音声信号に組み入れられる。音声信号はＢｌｕｅｔｏｏｔｈ経由でヘッドホン４４に送信される。
【００４５】
動画は再生される。映像信号に基づきディスプレイ装置３６の画面には映像が再生される。音声信号に基づきヘッドホン４４では音声が再生される。映像信号で再生される映像に同期して登場人物の心拍は再生される。ひとの心拍数および拍変動はひとの感情を反映する。ひとは心音を聞くことで他人の感情を知覚する。動画の鑑賞者は心音を聞くことで映像内の登場人物に感情移入することができる。こうして動画の鑑賞者はこれまで以上に動画の臨場感を体感することができる。
【００４６】
動画データ４６がサーバー４５からダウンロードされる場合には、鑑賞者がディスプレイ装置３６上の画面で動画ファイルを選択すると、予め大容量記憶装置４１内に格納された動画データから映像信号および音声信号は取得される。ＣＰＵ３３は音声信号から心拍信号を分離する。音声信号では心拍信号は消去されればよい。ＣＰＵ３３（再生部）は、心拍信号で特定される速度に合わせて、心音データ４３に基づき心音を再生する。再生された心音は音声信号に組み入れられる。音声信号はＢｌｕｅｔｏｏｔｈ経由でヘッドホン４４に送信される。
【００４７】
動画は再生される。映像信号に基づきディスプレイ装置３６の画面には映像が再生される。音声信号に基づきヘッドホン４４では音声が再生される。映像信号で再生される映像に同期して登場人物の心拍は再生される。ひとの心拍数および拍変動はひとの感情を反映する。ひとは心音を聞くことで他人の感情を知覚する。動画の鑑賞者は心音を聞くことで映像内の登場人物に感情移入することができる。こうして動画の鑑賞者はこれまで以上に動画の臨場感を体感することができる。
【００４８】
ここでは、ヘッドホン３１、４４に振動発生ユニットが組み込まれてもよい。振動発生ユニットは、心音の音波に合わせて振動する振動源を有すればよい。こうした振動源には、振動モーターや電動アクチュエーター、電磁ソレノイド、圧電素子その他のマイクロアクチュエーターなどが用いられることができる。振動の大きさは、皮膚への密着時に鑑賞者に知覚される程度に設定されればよい。振動源は振動で心拍を再現する。振動発生ユニットは心拍信号に基づき鑑賞者の人体に振動を伝達する。ヘッドホン３１、４４に骨伝導ヘッドホンが用いられる場合には、振動の伝達にあたって骨伝導体が用いられてもよい。骨伝導体は、鑑賞者の頭蓋骨に接触してスピーカーの振動板と同様に振動する。
【００４９】
スマートフォン１５のＣＰＵ２１およびパソコン１７のＣＰＵ３３は、心拍信号を受信し、メモリー２７または大容量記憶装置４１から心音データ２９、４３を取得し、心拍信号で特定される速度に合わせて心音データ２９、４３に基づき心音を再生する。心拍信号では心音そのものが特定される必要はなく心拍の速度が特定されればよい。したがって、ひとの胸に心音を拾うマイクロフォンを当てる必要はなく、簡単に入手されることができる脈拍センサーといったありふれた道具で心拍信号は生成されることができる。ひとの心拍に合わせて簡単に心音は再現されることができる。
【００５０】
動画データ４６の生成にあたって撮影装置４８が用いられる。撮影装置４８では、映像信号で特定される映像と、音声信号で特定される音声とが組み合わせられて動画は生成される。撮影装置４８は、マイクロフォン５３で生成される音声信号に、脈拍計５１で生成される脈拍信号を組み込んで出力する合成処理回路５４を備える。動画の生成にあたって音声信号には心拍信号が組み込まれることから、一般の動画のフォーマットに心拍信号は組み入れられることができる。心拍信号の付加にあたって特別なフォーマットは要求されず、心拍信号の扱いは簡素化される。
【００５１】
動画の再生にあたって音声信号には予め心音が埋め込まれてもよい。心音は、サーバー４５で動画データ４６中の音声信号に挿入されてもよく、撮影装置４８の合成処理回路５４で音声信号に挿入されてもよい。いずれの場合でも、再生端末１３ａ、１３ｂ側で心音データ２９、４３を保持する必要はない。音声信号に対して心音の組み込み処理が割愛されるので、再生端末１３ａ、１３ｂの処理負担は軽減される。
【００５２】
図２は第２実施形態に係る情感配信システム６１の構成を概略的に示す。情感配信システム６１は複数の心拍伝達装置６２を含む。心拍伝達装置６２は、例えばチームスポーツの個々の選手やアイドルグループの個々のアイドル（以下「個人」という）に装着されて、個人の動脈から脈拍を検出する脈拍計６３と、個人に取り付けられて、検出された脈拍を電波で送信する送信機６４とを備える。脈拍計６３は、例えば、ヘッドバンドタイプ、リストバンドタイプ、パンツサポータータイプおよびインステップサポータータイプのいずれかであればよい。例えば図３に示されるように、ヘッドバンドタイプの脈拍計６３ａは、例えばこめかみの位置に接触する接触部６５ａを有して個人の頭に巻かれる装着体６５と、接触部６５ａに支持されて、浅側頭動脈から脈拍を検出する脈拍センサー６６とを備えればよい。リストバンドタイプの脈拍計６３ｂは、例えば小指に近い位置で手首の内側に接触する接触部６７ａを有して個人の手首に巻かれる装着体６７と、接触部６７ａに支持されて、橈骨動脈から脈拍を検出する脈拍センサー６８とを備えればよい。パンツサポータータイプの脈拍計６３ｃは、例えば太ももの付け根に接触する接触部６９ａを有してパンツサポーターに形成される装着体６９と、接触部６９ａに支持されて、大腿動脈から脈拍を検出する脈拍センサー７１とを備えればよい。インステップサポータータイプの脈拍計６３ｄは、例えば足の甲に接触する接触部７２ａを有して、少なくとも足の甲および土踏まずに巻き付けられる装着体７２と、接触部７２ａに支持されて、足背動脈から脈拍を検出する脈拍センサー７３とを備えればよい。
【００５３】
脈拍計６３に送信機６４は接続される。送信機６４は、脈拍計６３の出力に信号処理を施し中継器７４に向けて心拍信号を送信する。中継器７４は例えばインターネット１２に接続される。送信機６４と中継器７４との間では例えばＷｉＦｉ通信が確立されればよい。こうしてインターネット１２に心拍信号は送り込まれる。
【００５４】
情感配信システム６１は、インターネット１２に随時に接続可能な再生端末７５を備える。ここでは、再生端末７５は、例えばＷｉＦｉ中継器７６でインターネット１２に接続されるスマートフォン７７で構成される。スマートフォン７７は携帯電話通信網からインターネット１２に接続されてもよい。
【００５５】
スマートフォン７７は、本体に組み込まれるＣＰＵ（中央演算処理装置）７８と、本体の表面に組み込まれるディスプレイパネル７９とを備える。ディスプレイパネル７９の表面に例えば長方形の画面が区画される。本体内でＣＰＵ７８には、携帯電話通信網の基地局に接続される無線送受信回路８１や、ＷｉＦｉ中継器７６に接続されるＷｉＦｉ送受信回路８２、ブルートゥース送受信回路８３、画面上の表示を制御する表示駆動回路８４、その他の電子回路が接続される。
【００５６】
ＣＰＵ７８はＷｉＦｉ送受信回路８２（や無線送受信回路８１）を通じてインターネット１２から心拍信号を受信する。心拍信号は、音声を特定する音声信号で構成されればよい。ここでは、心拍信号は心拍の速度を特定する。心拍の速度は例えばパルス信号の間隔やその他のリズム信号で特定されればよい。心拍の速度は例えば心音のＩ音またはＩＩ音の時間間隔で特定されればよい。
【００５７】
ＣＰＵ７８にはメモリー（記憶部）８５が接続される。メモリー８５にはアプリ（アプリケーションソフトウェア）８６および心音データ８７が格納される。心音データ８７は心音の音波を特定する。ＣＰＵ７８はアプリ８６を実行する。アプリ８６の実行に応じて、ＣＰＵ７８（受信部）は、心拍信号を受信し、メモリー８５から心音データ８７を取得し、心拍信号で特定される速度に合わせて、心音データ８７に基づき心音を再生する。
【００５８】
個々のスマートフォン７７にはヘッドホン８８が接続される。ヘッドホン８８は有線でスマートフォン７７に接続されてもよく無線でスマートフォン７７に接続されてもよい。ここでは、接続にあたって例えばＢｌｕｅｔｏｏｔｈが利用される。ヘッドホン８８にはブルートゥース送受信回路８３を通じてＣＰＵ７８から心拍信号が供給される。ヘッドホン８８のスピーカーは例えば振動板の動作に応じて空気中に心音の音波を送信する。ヘッドホン８８は鑑賞者の頭に装着される。ヘッドホン８８は好ましくは骨伝導ヘッドホンであればよい。
【００５９】
ＣＰＵ７８は音声信号から心拍信号を復号する。ＣＰＵ７８（再生部）は心拍信号に基づき心音を再生する。こうして個人の心音はヘッドホン８８から鑑賞者の耳に伝達される。
【００６０】
スマートフォン７７には振動発生ユニット８９が接続されてもよい。振動発生ユニット８９は、有線または無線でスマートフォン７７に接続される握り玉９１または握り棒９２を備える。図４に示されるように、握り玉９１は握りやすい大きさのボール形状に形成される。握り棒９２は握りやすい太さの棒形状に形成される。握り玉９１および握り棒９２には振動源９３が埋め込まれる。振動源９３は心音の音波に合わせて振動する。こうした振動源９３には、振動モーターや電動アクチュエーター、電磁ソレノイド、圧電素子その他のマイクロアクチュエーターなどが用いられることができる。振動の大きさは、握り玉９１や握り棒９２を握った手Ｈに十分に知覚される程度に設定されればよい。振動源９３は振動で心拍を再現する。振動発生ユニット８９は心拍信号に基づき鑑賞者の手Ｈに振動を伝達する。
【００６１】
情感配信システム６１は、インターネット１２に接続されるサーバー９４を備える。サーバー９４には、個人（対象者）と心拍信号とを結び付ける心拍計リスト９５と、個人と再生端末７５とを結び付ける端末リスト９６とが格納される。心拍計リスト９５および端末リスト９６に基づき個々の再生端末７５ごとに心拍信号は関連づけられる。こうして個々の再生端末７５ごとに特定の心拍信号は受信される。心拍信号に基づき心音は再生される。
【００６２】
振動発生ユニット８９にはレンタルシステムが組み合わせられてもよい。レンタルシステムは、握り玉９１や握り棒９２に連結されて、例えば鑑賞者の手首に巻かれるリストバンド９７を備える。リストバンド９７は、手首に巻かれる帯形状の本体９８と、本体９８の長手方向両端に固定されて、電力駆動されて結合および分離で切り替えられるロック機構９９と、リストバンド９７に握り玉９１または握り棒９２を連結するワイヤー１０１とを有する。ロック機構９９の働きで本体９８の長手方向両端が結合されると、鑑賞者の手Ｈの通過を阻止する大きさで環状にリストバンド９７は保持される。いわゆる施錠状態は確立される。施錠状態が確立されると、リストバンド９７は鑑賞者の手首に分離不能に装着される。本体９８の長手方向両端が分離されると、リストバンド９７は環状から帯状に解かれて鑑賞者の手首から外れる。いわゆる解錠状態が確立される。
【００６３】
ロック機構９９には送受信回路１０２が接続される。送受信回路１０２は、特定の電波の受信に応じてロック機構９９に電力を供給しロック機構９９の解錠状態を確立する。こうして特定の電波の受信に応じてロック機構９９は自動的に解錠されることができる。送受信回路１０２は、外部の入退場システムとの間で信号をやりとりしてもよい。例えば鑑賞者の退場にあたって送受信回路１０２は入退場システムに信号を送信することができる。入退場システムは信号の受信に応じて鑑賞者の退場を阻止することができる。こうしてレンタルされた握り玉９１や握り棒９２の持ち帰りは防止されることができる。
【００６４】
次に情感配信システム６１の動作を説明する。情感配信システム６１は例えばチームスポーツのパブリックビューイングで利用されることができる。パブリックビューイングでは競技施設１０３で実施されるスポーツの試合が動画カメラ１０４でリアルタイムに撮影される。動画カメラ１０４で生成された映像信号はパブリックビューイング会場１０５の大型ディスプレイ１０６に映し出される。パブリックビューイング会場１０５では音声信号に基づき映像に同期して音声が再生されてもよい。
【００６５】
パブリックビューイングの観客は例えばタッピング操作でアプリ８６を起動する。観客がスマートフォン７７の画面上で選手を選択すると、サーバー９４は端末リスト９６で選手ごとにスマートフォン７７の識別番号を登録する。サーバー９４には予め心拍計リスト９５で個々の選手ごとに脈拍計６３の識別子が紐付けられる。選手は、識別子で特定される脈拍計６３を装着する。こうして個々のスマートフォン７７ごとに特定の脈拍計６３は関連づけられる。関連づけにあたって観客のスマートフォン７７は課金されてもよい。課金は、アプリ８６のダウンロード時に実施されてもよく選手の選択時に実施されてもよい。
【００６６】
アプリ８６には心音データ８７が取り込まれる。心音データ８７は、例えばアプリ８６のセットアップ時にサーバー９４からダウンロードされてスマートフォン７７のメモリー８５に格納されてもよく、心音の再生にあたって改めてサーバー９４からダウンロードされてスマートフォン７７のメモリー８５に格納されてもよい。ここでは、サーバー９４には個々の選手ごとに心音データ８７が登録される。スマートフォン７７には選択された選手に対応する心音データ８７がダウンロードされる。心音データ８７は予め個々の選手から実測されればよい。
【００６７】
心音データ８７は、全ての選手に共通に１つの心音データであってもよく、共通に１つの心音データおよび選手ごとの心音データのいずれかが選択されてもよい。この場合には、共通に１つの心音データは標準仕様として予めアプリ８６内に組み込まれ、課金に応じて選手ごとの心音データがメモリー８５内にダウンロードされてもよい。
【００６８】
観客は頭にヘッドホン８８を装着する。ヘッドホン８８とスマートフォン７７との間にはＢｌｕｅｔｏｏｔｈ経由で通信経路が確立される。観客は併せて（あるいは代わって）握り玉９１または握り棒９２を握ってもよい。握り玉９１または握り棒９２とスマートフォン７７との間にはＢｌｕｅｔｏｏｔｈ経由で通信経路が確立される。
【００６９】
個々の選手の脈拍はリアルタイムで測定される。中継器７４は送信機６４からリアルタイムで心拍信号を受信する。サーバー９４は、インターネット１２を経由して複数の脈拍計６３から脈拍計６３ごとにリアルタイムで心拍信号を取得する。サーバー９４は、端末リスト９６に基づき指定されたスマートフォン７７ごとに、個々のスマートフォン７７に関連づけられた心拍信号をリアルタイムで送信する。個々のスマートフォン７７のＣＰＵ７８は心拍信号を受信する。ＣＰＵ７８（再生部）は、心拍信号で特定される速度に合わせて、心音データ８７に基づきリアルタイムで心音を再生する。再生された心音は音声信号としてＢｌｕｅｔｏｏｔｈ経由でヘッドホン８８に送信される。ＣＰＵ７８は心拍信号に基づきリアルタイムで心音を再生する。
【００７０】
脈拍計６３は複数の選手に個々に取り付けられる。個々の選手に関連づけられたスマートフォン７７ごとに心拍信号は送り込まれる。個々のスマートフォン７７では、関連づけられた心拍信号に基づき心音は再生される。こうしてスマートフォン７７ごとに複数の選手の中から特定の選手は割り当てられる。スマートフォン７７ごとに特定の選手の心音は再生されることができる。観客は好みの選手の心拍を聞くことで応援したい選手との一体感を楽しむことができる。
【００７１】
例えば、インステップサポータータイプの脈拍計６３ｄは、足の甲に接触する接触部７２ａを有して、足の甲および土踏まずに巻き付けられる装着体７２と、接触部７２ａに支持されて、足背動脈から脈拍を検出する脈拍センサー７３とを備える。脈拍の検出にあたって脈拍計６３ｄは踝よりも足先側で足に装着される。踝回りに足が動いても、脈拍計６３ｄは足の動きに対して邪魔にならない。しかも、足の甲と土踏まずの間では人体の変形は小さいことから、脈拍計６３ｄの位置ずれは十分に抑制される。良好な装着感は得られる。装着者に脈拍計６３ｄの装着を意識させることなく、脈拍センサー７３は足背動脈から脈拍を検出することができる。
【００７２】
心拍信号の配信は、パブリックビューイング会場１０５に限定されてもよく、その他の範囲や地域に限定されてもよい。こうした地理的限定にあたって心拍信号の配信に用いられるＷｉＦｉ中継器７６は特定のものに絞られればよい。情感配信システム６１は、チームスポーツやアイドルグループ以外であっても、個人スポーツや単体のアイドル、その他の個人の映像配信にあたって用いられてもよい。
【００７３】
図５は第３実施形態に係る心拍再生装置１１１の構成を概略的に示す。心拍再生装置１１１は、例えばＷｉＦｉルーター１１２や携帯電話通信網でインターネット１２に接続されるスマートフォン（再生端末の本体）１１３ａ、１１３ｂと、スマートフォン１１３ａ、１１３ｂに接続されて、個人の動脈から脈拍を検出する脈拍計１１４ａ、１１４ｂと、スマートフォン１１３ａ、１１３ｂに接続されて、音声信号に基づき振動板の働きを通じて空気中に音波を送信するヘッドホン１１５ａ、１１５ｂとを備える。脈拍計１１４ａ、１１４ｂおよびヘッドホン１１５ａ、１１５ｂは有線でスマートフォン１１３ａ、１１３ｂに接続されてもよく無線でスマートフォン１１３ａ、１１３ｂに接続されてもよい。ここでは、接続にあたって例えばＢｌｕｅｔｏｏｔｈが利用される。
【００７４】
スマートフォン１１３ａ、１１３ｂは前述のスマートフォン７７と同様に構成される。すなわち、スマートフォン１１３ａ、１１３ｂは、本体に組み込まれるＣＰＵ（中央演算処理装置）７８と、本体の表面に組み込まれるディスプレイパネル７９とを備える。ディスプレイパネル７９の表面に例えば長方形の画面が区画される。本体内でＣＰＵ７８には、携帯電話通信網の基地局に接続される無線送受信回路８１や、ＷｉＦｉルーター１１２に接続されるＷｉＦｉ送受信回路８２、ブルートゥース送受信回路８３、画面上の表示を制御する表示駆動回路８４、その他の電子回路が接続される。
【００７５】
ＣＰＵ７８にはメモリー（記憶部）８５が接続される。メモリー８５にはアプリ（アプリケーションソフトウェア）８６、心音データ８７およびＩＤデータ１１６が格納される。アプリ８６、心音データ８７およびＩＤデータ１１６は例えばＷｉＦｉ送受信回路８２（や無線送受信回路８１）を通じてインターネット１２からダウンロードされる。心音データ８７は心音の音波を特定する。ＩＤデータ１１６はアプリ８６に固有の候補機器識別子リストを特定する。候補機器識別子リストは、例えば脈拍計１１４ａ、１１４ｂやヘッドホン１１５ａ、１１５ｂの機種ごと（やメーカーごと）に割り当てられた機器識別子を含む。ＣＰＵ７８はアプリ８６を実行する。アプリ８６の実行に応じて、ＣＰＵ７８（受信部）は、脈拍計１１４ａ、１１４ｂから心拍信号を受信し、メモリー８５から心音データ８７を取得し、心拍信号で特定される速度に合わせて、心音データ８７に基づき心音の音声信号を生成する。
【００７６】
インターネット１２にはサーバー１１７が接続される。サーバー１１７にはアプリ１１８および心音データ１１９並びに候補機器識別子リスト１２０が登録される。アプリ１１８および心音データ１１９並びに候補機器識別子リスト１２０はスマートフォン１１３ａ、１１３ｂの動作に応じてインターネット１２経由でサーバー１１７からスマートフォン１１３ａ、１１３ｂにダウンロードされる。候補機器識別子リスト１２０はＩＤデータ１１６としてメモリー８５に格納される。アプリ１１８や心音データ１１９、候補機器識別子リスト１２０のダウンロード時にスマートフォン１１３ａ、１１３ｂには課金されてもよい。
【００７７】
脈拍計１１４ａ、１１４ｂは、動脈から脈拍を検出し、対象者の心拍を特定する心拍信号を出力する脈拍センサー１２１と、脈拍センサー１２１に接続されて、Ｂｌｕｅｔｏｏｔｈ経由で心拍信号を送信するブルートゥース送受信回路１２２と、ブルートゥース送受信回路１２２に接続されて、スマートフォン１１３ａ、１１３ｂに向けて出力される脈拍計１１４ａ、１１４ｂに固有の機器識別子を保持するメモリー１２３とを備える。脈拍計１１４ａ、１１４ｂは、前述と同様に、ヘッドバンドタイプ、リストバンドタイプ、パンツサポータータイプおよびインステップサポータータイプのいずれかであればよい。ブルートゥース送受信回路１２２およびメモリー１２３は脈拍センサー１２１とともに装着体６５、６７、６９、７２に支持されればよく、脈拍センサー１２１、ブルートゥース送受信回路１２２およびメモリー１２３は１ボード（１ユニット）化されてもよい。機器識別子は脈拍計１１４ａ、１１４ｂの出荷時以前にメモリー１２３に登録されればよい。メモリー１２３は例えばフラッシュメモリーや読み出し専用メモリーであればよい。
【００７８】
心拍信号は、音声を特定する音声信号で構成されればよい。ここでは、心拍信号は心拍の速度を特定する。心拍の速度は例えばパルス信号の間隔やその他のリズム信号で特定されればよい。心拍の速度は例えば心音のＩ音またはＩＩ音の時間間隔で特定されればよい。
【００７９】
スマートフォン１１３ａ、１１３ｂのＣＰＵ７８は、Ｂｌｕｅｔｏｏｔｈ経由の通信経路の設定時（機器の登録時）に、脈拍計１１４ａ、１１４ｂから送られてくる機器識別子とＩＤデータ１１６の機器識別子（以下「候補機器識別子」という）とを照らし合わせる。照らし合わせの結果、脈拍計１１４ａ、１１４ｂの機器識別子が承認されると、心拍信号は脈拍計１１４ａ、１１４ｂからスマートフォン１１３ａ、１１３ｂに送信される。脈拍計１１４ａ、１１４ｂの機器識別子が承認されない限り、脈拍計１１４ａ、１１４ｂの心拍信号はスマートフォン１１３ａ、１１３ｂに供給されない。
【００８０】
ヘッドホン１１５ａ、１１５ｂは、スマートフォン１１３ａ、１１３ｂとの間で通信経路を確立し、スマートフォン１１３ａ、１１３ｂから音声信号を受信するブルートゥース送受信回路１２４と、ブルートゥース送受信回路１２４に接続されて、供給される音声信号に応じて振動する振動板１２５と、ブルートゥース送受信回路１２４に接続されて、スマートフォン１１３ａ、１１３ｂに向けて出力されるヘッドホン１１５ａ、１１５ｂに固有の機器識別子を保持するメモリー１２６とを備える。機器識別子はヘッドホン１１５ａ、１１５ｂの出荷時以前にメモリー１２６に登録されればよい。メモリー１２６は例えばフラッシュメモリーや読み出し専用メモリーであればよい。振動板１２５の動作に応じて空気中に心音の音波は送信される。ヘッドホン１１５ａ、１１５ｂは鑑賞者の頭に装着される。ヘッドホン１１５ａ、１１５ｂは好ましくは骨伝導ヘッドホンであればよい。
【００８１】
スマートフォン１１３ａ、１１３ｂのＣＰＵ７８は、Ｂｌｕｅｔｏｏｔｈ経由の通信経路の設定時（機器の登録時）に、ヘッドホン１１５ａ、１１５ｂから送られてくる機器識別子と候補機器識別子とを照らし合わせる。照らし合わせの結果、ヘッドホン１１５ａ、１１５ｂの機器識別子が承認されると、音声信号はスマートフォン１１３ａ、１１３ｂからヘッドホン１１５ａ、１１５ｂに送信される。ヘッドホン１１５ａ、１１５ｂの機器識別子が承認されない限り、ヘッドホン１１５ａ、１１５ｂには音声信号は供給されない。
【００８２】
心拍再生装置１１１は、スマートフォン１１３ａ、１１３ｂに接続されて、対象者の心臓から心音を検出し、心音を特定する音声信号を出力する心音生成装置１２７を備えてもよい。心音生成装置１２７は、人体から心音の音波を取得するマイクロフォン１２８と、マイクロフォン１２８に接続されて、例えば、人体の大動脈弁領域、肺動脈弁領域、三尖弁領域、僧帽弁領域またはエルプの領域から心音を増幅してマイクロフォン１２８に伝達する聴診器１２９と、マイクロフォン１２８に接続されて、Ｂｌｕｅｔｏｏｔｈ経由で心音の音声信号を送信するブルートゥース送受信回路１３１と、ブルートゥース送受信回路１３１に接続されて、スマートフォン１１３ａ、１１３ｂに向けて出力される心音生成装置１２７に固有の機器識別子を保持するメモリー１３２とを備える。機器識別子は心音生成装置１２７の出荷時以前にメモリー１３２に登録されればよい。メモリー１３２は例えばフラッシュメモリーや読み出し専用メモリーであればよい。
【００８３】
マイクロフォン１２８は心音の音波を特定する電気信号すなわち心音データを出力する。心拍の速度は任意に設定されればよい。複数の速度について心音データは生成されてもよい。心音データはスマートフォン１１３ａ、１１３ｂのメモリー８５に心音データ８７として格納されることができる。心音データ８７は人物ごとに管理されればよい。
【００８４】
スマートフォン１１３ａ、１１３ｂのＣＰＵ７８は、Ｂｌｕｅｔｏｏｔｈ経由の通信経路の設定時（機器の登録時）に、心音生成装置１２７から送られてくる機器識別子と候補機器識別子とを照らし合わせる。照らし合わせの結果、心音生成装置１２７の機器識別子が承認されると、心音の音声信号は心音生成装置１２７からスマートフォン１１３ａ、１１３ｂに送信される。心音生成装置１２７の機器識別子が承認されない限り、心音生成装置１２７の音声信号はスマートフォン１１３ａ、１１３ｂに供給されない。
【００８５】
次に心拍再生装置１１１の動作を説明する。例えばスマートフォン１１３ａ、１１３ｂの使用者はスマートフォン１１３ａ、１１３ｂにアプリ１１８および心音データ１１９をダウンロードする。候補機器識別子リスト１２０はアプリ１１８に付随してダウンロードされる。ダウンロードにあたってスマートフォン１１３ａの画面にはダウンロードの操作画面が映し出されればよい。使用者はスマートフォン１１３ａ、１１３ｂにアプリ１１８をインストールする。インストール時にアプリ１１８には心音データ１１９および候補機器識別子１２０が登録される。こうしてアプリ８６、心音データ８７およびＩＤデータ１１６はスマートフォン１１３ａ、１１３ｂのメモリー８５に格納される。
【００８６】
所有者（第１人物）はスマートフォン１１３ａに脈拍計１１４ａおよびヘッドホン１１５ａを接続する。接続にあたって所有者は例えばタッピング操作でアプリ８６を起動する。スマートフォン１１３ａ（再生端末の本体）に脈拍計１１４ａが接続される際に、スマートフォン１１３ａのＣＰＵ７８はＢｌｕｅｔｏｏｔｈ経由で脈拍計１１４ａの機器識別子を取得する。ＣＰＵ７８は、ＩＤデータ１１６として予めメモリー８５に登録された候補機器識別子リストに脈拍計１１４ａの機器識別子を照合し、脈拍計１１４ａの登録の有無を確認する。脈拍計１１４ａの登録が確認されたら、スマートフォン１１３ａと脈拍計１１４ａとの間でＢｌｕｅｔｏｏｔｈの通信経路は確立される。
【００８７】
同様に、スマートフォン１１３ａにヘッドホン１１５ａが接続される際に、スマートフォン１１３ａのＣＰＵ７８はＢｌｕｅｔｏｏｔｈ経由でヘッドホン１１５ａの機器識別子を取得する。ＣＰＵ７８は、ＩＤデータ１１６として予めメモリー８５に登録された候補機器識別子リストにヘッドホン１１５ａの機器識別子を照合し、ヘッドホン１１５ａの登録の有無を確認する。ヘッドホン１１５ａの登録が確認されたら、スマートフォン１１３ａとヘッドホン１１５ａとの間でＢｌｕｅｔｏｏｔｈの通信経路は確立される。同様に、所有者（第２人物）はスマートフォン１１３ｂに他の脈拍計１１４ｂおよび他のヘッドホン１１５ｂを接続する。
【００８８】
スマートフォン１１３ａに接続された１つ目のヘッドホン１１５ａは第１人物に装着される。スマートフォン１１３ａに接続された１つ目の脈拍計１１４ａは第２人物に装着される。心音の再生が開始されると、脈拍計１１４ａからスマートフォン１１３ａにＢｌｕｅｔｏｏｔｈ経由で心拍信号は送信される。スマートフォン１１３ａのＣＰＵ７８は脈拍計１１４ａからリアルタイムで心拍信号を受信する。ＣＰＵ７８（再生部）は、心拍信号で特定される速度に合わせて、心音データ８７に基づきリアルタイムで心音を再生する。再生された心音は音声信号としてＢｌｕｅｔｏｏｔｈ経由でヘッドホン１１５ａに送信される。ＣＰＵ７８は心拍信号に基づきリアルタイムで心音を再生する。こうして第２人物は第１人物の心拍を聞くことで第１人物との一体感を楽しむことができる。
【００８９】
このとき、２台目のスマートフォン１１３ｂに接続された２つ目のヘッドホン１１５ｂは第２人物に装着される一方で、２台目のスマートフォン１１３ｂに接続された２つ目の脈拍計１１４ｂは第１人物に装着されてもよい。心音の再生が開始されると、脈拍計１１４ｂからスマートフォン１１３ｂにＢｌｕｅｔｏｏｔｈ経由で心拍信号は送信される。スマートフォン１１３ｂのＣＰＵ７８は脈拍計１１４ｂからリアルタイムで心拍信号を受信する。ＣＰＵ７８（再生部）は、心拍信号で特定される速度に合わせて、心音データ８７に基づきリアルタイムで心音を再生する。再生された心音は音声信号としてＢｌｕｅｔｏｏｔｈ経由でヘッドホン１１５ｂに送信される。ＣＰＵ７８は心拍信号に基づきリアルタイムで心音を再生する。こうして第１人物および第２人物は互いに相手の心拍を聞くことで第１人物および第２人物ともに相手との一体感を楽しむことができる。
【００９０】
本実施形態に係る心音の再生方法では、再生端末の本体としてのスマートフォン１１３ａ、１１３ｂに脈拍計１１４ａ、１１４ｂが接続される際に、ＣＰＵ７８は脈拍計１１４ａ、１１４ｂの機器識別子を取得する。ＣＰＵ７８は、予め登録された候補機器識別子に、取得した機器識別子を照合し、脈拍計１１４ａ、１１４ｂの登録の有無を確認する。脈拍計１１４ａ、１１４ｂの登録が確認されると、ＣＰＵ７８は脈拍計１１４ａ、１１４ｂから心拍信号を取得する。脈拍計１１４ａ、１１４ｂの登録が確認されない限り、ＣＰＵ７８は脈拍計１１４ａ、１１４ｂから心拍信号を取得しない。こうして特定の脈拍計１１４ａ、１１４ｂにのみから心拍信号は取得される。心拍の取得に利用される脈拍計１１４ａ、１１４ｂは他の脈拍計から選り分けられる。
【００９１】
本実施形態に係る心音の再生方法では、再生端末の本体としてのスマートフォン１１３ａ、１１３ｂにヘッドホン１１５ａ、１１５ｂが接続される際に、ＣＰＵ７８はヘッドホン１１５ａ、１１５ｂの機器識別子を取得する。ＣＰＵ７８は、予め登録された候補機器識別子に、取得した機器識別子を照合し、ヘッドホン１１５ａ、１１５ｂの登録の有無を確認する。ヘッドホン１１５ａ、１１５ｂの登録が確認されると、ＣＰＵ７８はヘッドホン１１５ａ、１１５ｂに向けて心音の音声信号を出力する。ヘッドホン１１５ａ、１１５ｂの登録が確認されない限り、ヘッドホン１１５ａ、１１５ｂには心音の音声信号は出力されない。こうして特定のヘッドホン１１５ａ、１１５ｂにのみ音声信号は出力される。心音の再生に利用されるヘッドホン１１５ａ、１１５ｂは他のヘッドホンから選り分けられる。
【００９２】
スマートフォン１１３ａの所有者はスマートフォン１１３ａに接続された脈拍計１１４ａおよびヘッドホン１１５ａをともに装着してもよい。所有者はヘッドホン１１５ａで自分の鼓動を聞くことができる。所有者は自己の心拍を意識することができる。こうして自己の心拍を聞くことで、例えば感情を制御する訓練は実現されることができる。
【００９３】
脈拍計１１４ａ、１１４ｂの装着者は心音生成装置１２７を使って個々のアプリ８６に自己の心音を登録してもよい。マイクロフォン１２８は心音の音波を特定する電気信号すなわち心音データを出力する。心拍の速度は任意に設定されればよい。複数の速度について心音データは生成されてもよい。心音データは個々のスマートフォン１１３ａ、１１３ｂのメモリー８５に心音データ８７として格納されればよい。
【符号の説明】
【００９４】
１３ａ…心音再生装置（再生端末）、１３ｂ…心音再生装置（再生端末）、２１…再生部（ＣＰＵ（中央演算処理装置））、２４…受信部（ＷｉＦｉ送受信回路）、２７…記憶部（メモリー）、２９…心音データ、３３…再生部（ＣＰＵ（中央演算処理装置））、３７…受信部（ＬＡＮボード）、４１…記憶部（大容量記憶装置）、４３…心音データ、４６…動画データ、４８…撮影装置、５１…脈拍センサー（脈拍計）、５２…撮像素子、５３…マイクロフォン、５４…合成器（合成処理回路）、６１…心拍再生システム（情感配信システム）、６３…脈拍センサー（脈拍計）、６３ｄ…（インステップサポータータイプの）脈拍計、７２…装着体、７２ａ…接触部、７３…脈拍センサー、７５…心音再生装置（再生端末）、７８…再生部（ＣＰＵ（中央演算処理装置））、８２…受信部（ＷｉＦｉ送受信回路）、８５…記憶部（メモリー）、８７…心音データ、１１１…心音再生装置（心拍再生装置）、１１３ａ…再生端末の本体（スマートフォン）、１１３ｂ…再生端末の本体（スマートフォン）、１１５ａ…ヘッドホン、１１５ｂ…ヘッドホン。
【図１】
2018191159.tif 000003
【図２】
2018191159.tif 000004
【図３】
2018191159.tif 000005
【図４】
2018191159.tif 000006
【図５】
2018191159.tif 000007